Podtech/llm-jp-corpus-v4-ja_patent huggingface dataset:
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
動画像データを記録媒体に記録する記録手段と、
サムネイル画像の一覧表示の指示があると、前記記録媒体に記録された動画像データのサムネイル画像の一覧画面を生成し、表示装置に出力する出力手段と、
前記記録媒体に記録された動画像データのサムネイル画像データを生成する生成手段と、
前記一覧表示の指示によって最初に表示する所定数のシーンのサムネイル画像データを生成するように前記生成手段を制御し、前記生成された所定数のシーンのサムネイル画像データを前記記録媒体に記録し前記所定数のシーン以外のサムネイル画像データを記録しないように前記記録手段を制御する制御手段とを備え、
前記出力手段は、前記記録媒体に記録されたサムネイル画像データを用いて、前記一覧表示の指示によって最初に表示するサムネイル画像の一覧画面を生成することを特徴とする記録装置。
【請求項２】
前記出力手段は、前記最初の一覧画面の表示中に、前記記録媒体に記録された動画像データを用いて、次に表示するサムネイル画像の一覧画面を生成することを特徴とする請求項１記載の記録装置。
【請求項３】
前記制御手段は、前記記録媒体に記録された動画像データのシーン数が前記所定数になると前記所定数のシーンのサムネイル画像データを生成するように前記生成手段を制御することを特徴とする請求項１または２に記載の記録装置。
【請求項４】
動画像データを記録媒体に記録する記録工程と、
サムネイル画像の一覧表示の指示があると、前記記録媒体に記録された動画像データのサムネイル画像の一覧画面を生成し、表示装置に出力する出力工程と、
前記記録媒体に記録された動画像データのサムネイル画像データを生成する生成工程と、
前記一覧表示の指示によって最初に表示する所定数のシーンのサムネイル画像データを生成するように前記生成工程における処理を制御し、前記生成された所定数のシーンのサムネイル画像データを前記記録媒体に記録し前記所定数のシーン以外のサムネイル画像データを記録しないように前記記録工程における処理を制御する制御工程とを備え、
前記出力工程においては、前記記録媒体に記録されたサムネイル画像データを用いて、前記一覧表示の指示によって最初に表示するサムネイル画像の一覧画面を生成することを特徴とする記録方法。
【手続補正２】
【補正対象書類名】明細書
【補正対象項目名】発明の名称
【補正方法】変更
【補正の内容】
【発明の名称】記録装置及び記録方法
【手続補正３】
【補正対象書類名】明細書
【補正対象項目名】０００１
【補正方法】変更
【補正の内容】
【０００１】
本発明は記録装置及び記録方法に関し、特に、静止画あるいは動画などの映像情報を記録媒体に記録したり、再生したりするために用いて好適な技術に関する。
【手続補正４】
【補正対象書類名】明細書
【補正対象項目名】０００９
【補正方法】変更
【補正の内容】
【０００９】
本発明の記録装置は、動画像データを記録媒体に記録する記録手段と、サムネイル画像の一覧表示の指示があると、前記記録媒体に記録された動画像データのサムネイル画像の一覧画面を生成し、表示装置に出力する出力手段と、前記記録媒体に記録された動画像データのサムネイル画像データを生成する生成手段と、前記一覧表示の指示によって最初に表示する所定数のシーンのサムネイル画像データを生成するように前記生成手段を制御し、前記生成された所定数のシーンのサムネイル画像データを前記記録媒体に記録し前記所定数のシーン以外のサムネイル画像データを記録しないように前記記録手段を制御する制御手段とを備え、前記出力手段は、前記記録媒体に記録されたサムネイル画像データを用いて、前記一覧表示の指示によって最初に表示するサムネイル画像の一覧画面を生成することを特徴とする。
【手続補正５】
【補正対象書類名】明細書
【補正対象項目名】００１０
【補正方法】変更
【補正の内容】
【００１０】
本発明の記録方法は、動画像データを記録媒体に記録する記録工程と、サムネイル画像の一覧表示の指示があると、前記記録媒体に記録された動画像データのサムネイル画像の一覧画面を生成し、表示装置に出力する出力工程と、前記記録媒体に記録された動画像データのサムネイル画像データを生成する生成工程と、前記一覧表示の指示によって最初に表示する所定数のシーンのサムネイル画像データを生成するように前記生成工程における処理を制御し、前記生成された所定数のシーンのサムネイル画像データを前記記録媒体に記録し前記所定数のシーン以外のサムネイル画像データを記録しないように前記記録工程における処理を制御する制御工程とを備え、前記出力工程においては、前記記録媒体に記録されたサムネイル画像データを用いて、前記一覧表示の指示によって最初に表示するサムネイル画像の一覧画面を生成することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明によれば、大量のメモリを消費することなく、サムネイル一覧表示を高速に行うことができる。これにより、表示枚数が多い場合においても素早い表示を行うことが可能となり、使用者にとって好適な記録再生を実現することができ、使い勝手に優れたＤＶＤビデオカメラを提供することができる。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
被写体像を光電変換する撮像素子と、該撮像素子の光軸方向前段に配設された光学素子と、該光学素子の表面に接触して走査可能な清掃部材とを有する撮像装置であって、
前記清掃部材は、少なくともその一部が導電性を有し、前記表面に接触して異物を除去する清掃時に、導通手段を介して前記清掃部材がグランド接続されるようにしたことを特徴とする撮像装置。
【請求項２】
前記清掃部材は、基体である金属板、この金属板に塗布された接着剤及び前記金属板に前記接着剤を用いて植毛された繊維でなる足部からなり、これらの部材が導電性を有していることを特徴とする請求項１に記載の撮像装置。
【請求項３】
前記植毛された繊維でなる足部は、導電性の足部とともに、絶縁性の足部も含まれることを特徴とする請求項２に記載の撮像装置。
【請求項４】
前記導通手段は、前記清掃部材の走査中に前記足部を前記表面に接触させるために、前記金属板と押圧接触して前記清掃部材の位置を規制する押さえ部材であることを特徴とする請求項２又は３に記載の撮像装置。
【請求項５】
前記導通手段は、前記清掃部材を支持して走査方向に走行ガイドするガイド部材であることを特徴とする請求項１乃至３のいずれかに記載の撮像装置。
【請求項６】
前記表面は、前記清掃部材が清掃時に接触して前記グランドに接続される以外に、前記表面に接触する接触部材により前記グランドに接続されることを特徴とする請求項１乃至５のいずれかに記載の撮像装置。
【請求項７】
前記グランドは、バッテリの負極であるパワーグランドとデジタル信号処理用に安定化したデジタルグランドと、アナログ信号処理用に更に安定化したシグナルグランドのうち、パワーグランドであることを特徴とする請求項１乃至６のいずれかに記載の撮像装置。
【請求項８】
前記光学素子の表面から除去した異物を捕獲保持する異物捕獲部を更に備えたことを特徴とする請求項１乃至７のいずれかに記載の撮像装置。
【手続補正書】
【提出日】平成20年12月4日(2008.12.4)
【手続補正１】
【補正対象書類名】明細書
【補正対象項目名】０００５
【補正方法】変更
【補正の内容】
【０００５】
このような細胞や組織の培養、その培養に用いられる物理的な変位や応力、刺激を与える機能を有するバイオリアクタに関し、圧力、振動（超音波）を用いる例として、特許文献１には、細胞又は組織の培養方法及びその装置が開示され、圧力を用いる例として、特許文献２には、生体内、生体外及び試験管内での軟骨及びコラーゲンの修復及び再生並びに骨再形成方法が開示され、せん断力を用いる例として、特許文献３には、細胞・組織培養装置が開示され、引っ張り力を用いる例として、特許文献４には、細胞・組織培養装置が開示され、圧縮力を用いる例として、特許文献５には、細胞・組織培養装置が開示され、せん断力を用いる例として、特許文献６には、細胞培養装置が開示され、引っ張り力を用いる例として、特許文献７には、シリコンベルトを使った培養細胞用伸縮刺激負荷装置が開示され、引っ張りとせん断とを併用する例として、特許文献８には、組織、 合成又は天然血管移植片の滅菌、接種、培養、保存、輸送、並びに検査を行う装置及び方法が開示されている。また、特許文献９には、膜体上に保持された細胞に膜体によって歪みを生じさせる培養方法等が開示されている。また、特許文献１０及び特許文献１１には、培養に半透膜を利用することが開示されている。様々な物理的作用及び刺激の付与や、半透膜の利用による細胞等の培養についての試みがなされている。
【特許文献１】特開２００１−２３８６６３号公報（要約等）
【特許文献２】特表２００４−５１２０３１号公報（要約等）
【特許文献３】特開２００２−３１５５６６号公報（要約等）
【特許文献４】特開２００３−０６１６４２号公報（要約等）
【特許文献５】特開２００３−１８０３３１号公報（要約等）
【特許文献６】特開平０９−３１３１６６号公報（要約等）
【特許文献７】特開平１０−１５５４７５号公報（要約等）
【特許文献８】特表平１１−５０４２１６号公報（要約等）
【特許文献９】特開２００５−１４３３４３号公報（要約等）
【特許文献１０】ＷＯ２００６／０１５３０４Ａ２（要約等）
【特許文献１１】特表２０００−５１３２１４号公報（要約等）
【手続補正２】
【補正対象書類名】明細書
【補正対象項目名】００４９
【補正方法】変更
【補正の内容】
【００４９】
プラスチックを使用した場合には、雑菌による汚染や他人の細胞又は遺伝子による汚染を防ぐ必要から使い捨てが可能であり、ステンレス鋼材に比較して安価である。また、培養器部４は、組み立てられた状態で滅菌する必要があるが、ステンレス鋼材及びプラスチックは、何れも滅菌処理に耐えられる。例えば、１２１℃、２気圧の条件で滅菌処理を行うオートクレーブでは、充分な耐熱性が求められるが、このような処理にはＰＴＦＥ、ＥＴＦＥ、ＰＦＡ等のフッ素樹脂、或いはポリサルフォン、ポリエーテルサルフォン、ポリカーボネート、硝子強化のＰＥＴ、ポリエーテルサルフォン等が適する。γ線や電子線による滅菌処理では、ＥＴＦＥ、或いはポリサルフォン、ポリエーテルサルフォン、ポリカーボネート、ＰＥＴ、ポリエチレン、ポリプロピレン等が適する。
【手続補正３】
【補正対象書類名】明細書
【補正対象項目名】００５２
【補正方法】変更
【補正の内容】
【００５２】
培養物の汚染を防止するには、滅菌処理は不可欠であるから、滅菌に対する耐性からの材料の選択は重要である。滅菌処理がオートクレーブでもγ線や電子線のどちらでも可能で、且つ、それぞれの部品が必要とする機能性等を考慮すれば、最適材料は次の通りである。
【手続補正４】
【補正対象書類名】明細書
【補正対象項目名】００６２
【補正方法】変更
【補正の内容】
【００６２】
なお、クランクアーム１９２を連続回転する必要はなく、ステッピングモータやサーボモータにより必要な角度だけ変位させても、同様にレバー７０の変位運動を得ることができる。
【手続補正５】
【補正対象書類名】明細書
【補正対象項目名】００７２
【補正方法】変更
【補正の内容】
【００７２】
また、半透膜（Semi-permeable membrane ）は、透過分子量が１００〔Ｄａ〕から１０００〔ｋＤａ〕の半透膜の中から選択して使用すればよい。半透膜を培養に利用する考えは、ＰＣＴ／ＵＳ２００５／０２７２２０（Amorphous cell delivery vehicle treated with physical/physicochemical stimuli ）等に述べられている。この半透膜は、通過できる分子の大きさに応じて様々なものが提供されているので、それを用いればよい。即ち、培養液中の栄養分、必要な酸素等のガスや細胞が出した老廃物等の低分子の物質等は通過し、細胞や大分子の細胞外マトリクスを通過させないような半透膜を選択し、細胞を閉じ込めれば、細胞や細胞外マトリクスの流失を防ぎながら、栄養分と酸素の供給が可能となり効率的な培養が実現する。この場合、半透膜が栄養物の通過を妨げる場合の対策として、本発明では、曲げ動作を付加するので、曲げ部の変位が能動的に上昇し、また、圧力の差が生じて、栄養分の移動を促す。血管のない段階の細胞構成体６（血管のない組織）においても曲げ動作が血管や心臓の働きを代行することになり、同時に、細胞に対し物理的刺激の付与にもなる。
【手続補正６】
【補正対象書類名】明細書
【補正対象項目名】０１１３
【補正方法】変更
【補正の内容】
【０１１３】
変位付与に必要な運転状態が監視され（ステップＳ６３）、異常があれば、警告表示の後、運転を停止し（ステップＳ６４）、培養システム２４０をリセットさせ（ステップＳ６５）、異常原因を除去し（ステップＳ６６）、再度、ステップＳ５１〜Ｓ６３を動作させ、培養終了に至る（ステップＳ６７）。培養終了の後、運転スイッチ２９４を切り（ステップＳ６８）、培養処理を終了する（ステップＳ６９）。
【手続補正書】
【提出日】平成20年12月4日(2008.12.4)
【手続補正１】
【補正対象書類名】明細書
【補正対象項目名】０００４
【補正方法】変更
【補正の内容】
【０００４】
このような細胞や組織の培養、その培養に用いられる物理的な変位や応力、刺激を与える機能を有するバイオリアクタに関し、圧力、振動（超音波）を用いる例として、特許文献１には、細胞又は組織の培養方法及びその装置が開示され、圧力を用いる例として、特許文献２には、生体内、生体外及び試験管内での軟骨及びコラーゲンの修復及び再生並びに骨再形成方法が開示され、せん断力を用いる例として、特許文献３には、細胞・組織培養装置が開示され、引っ張り力を用いる例として、特許文献４には、細胞・組織培養装置が開示され、圧縮力を用いる例として、特許文献５には、細胞・組織培養装置が開示され、せん断力を用いる例として、特許文献６には、細胞培養装置が開示され、引っ張り力を用いる例として、特許文献７には、シリコンベルトを使った培養細胞用伸縮刺激負荷装置が開示され、引っ張りとせん断とを併用する例として、特許文献８には、組織、 合成又は天然血管移植片の滅菌、接種、培養、保存、輸送、並びに検査を行う装置及び方法が開示されている。また、特許文献９には、膜体上に保持された細胞に膜体によって歪みを生じさせる培養方法等が開示されている。また、特許文献１０及び特許文献１１には、培養に半透膜を利用することが開示されている。様々な物理的作用及び刺激の付与や、半透膜の利用による細胞等の培養についての試みがなされている。
【特許文献１】特開２００１−２３８６６３号公報（要約等）
【特許文献２】特表２００４−５１２０３１号公報（要約等）
【特許文献３】特開２００２−３１５５６６号公報（要約等）
【特許文献４】特開２００３−０６１６４２号公報（要約等）
【特許文献５】特開２００３−１８０３３１号公報（要約等）
【特許文献６】特開平０９−３１３１６６号公報（要約等）
【特許文献７】特開平１０−１５５４７５号公報（要約等）
【特許文献８】特表平１１−５０４２１６号公報（要約等）
【特許文献９】特開２００５−１４３３４３号公報（要約等）
【特許文献１０】ＷＯ２００６／０１５３０４Ａ２（要約等）
【特許文献１１】特表２０００−５１３２１４号公報（要約等）
【手続補正２】
【補正対象書類名】明細書
【補正対象項目名】００４３
【補正方法】変更
【補正の内容】
【００４３】
培養ベッド４の背面側から、例えば、図示しないレバー等により、力Ｆを負荷させると、図５のＢに示すように、培養ベッド４の載置部６が力Ｆによって上方に湾曲し、この湾曲により、載置部６上のチューブ３２も湾曲する。即ち、細胞構成体２には曲げが生じる。この曲げ状態から力Ｆを解除すると、培養ベッド４の載置部６は弾性により、原形状に復帰し、平坦になるため、載置部６上の細胞構成体２も平坦状態に移行し、再び図５のＡに示す状態となる。この場合、チューブ３２の上面部には、培養ベッド４の押え部２６、２８が存在しており、上方に凸に変形したチューブ３２は、載置部６の復帰に応じて、チューブ３２の両端を通過させている透孔部１２や押え部２６、２８に押さえつけられ、載置部６の原状復帰に応じて平坦化する。以上のように、透孔部１２及び押え部２６、２８によって、チューブ３２に封入された細胞構成体２には、培養ベッド４の湾曲及び平坦化の変位量と同程度の変位量が与えられるため、付加する力Ｆによる移動量を制御することで、細胞構成体２に与える曲げ運動量も制御することが可能となる。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部とこの識別情報を含む電波を発信するアンテナ部とを備えた電子タグを、遊技機内部又は背面部に設置された制御装置に備えるとともに、
遊技機前方から読取装置により前記識別情報を読取可能とすべく、前記電子タグから発信される電波を遊技機前面側に導く伝播路を、遊技機の前面を構成する遊技機前面部を貫通させるようにして設けたことを特徴とする遊技機。
【請求項２】
前記伝播路上に導波管を設け、当該導波管により形成される導波路により前記伝播路の少なくとも一部を構成したことを特徴とする請求項１に記載の遊技機。
【請求項３】
前記伝播路上に、前記電波の伝播方向を変える電波反射板を設けたことを特徴とする請求項１又は２に記載の遊技機。
【請求項４】
前記遊技機前面部と前記制御装置との間には、遊技が実行される遊技装置ユニットを備え、
前記伝播路を、前記遊技装置ユニットを貫通するようにして、又は前記遊技装置ユニットを避けるようにして設けたことを特徴とする請求項１乃至３のいずれか１に記載の遊技機。
【請求項５】
前記遊技装置ユニットは盤面に多数の釘が配設されて遊技領域が形成された遊技盤であり、
当該遊技盤に貫通孔部を設け、その貫通孔部により前記伝播路の少なくとも一部を構成したことを特徴とする請求項４に記載の遊技機。
【請求項６】
前記貫通孔部を、前記遊技領域の外方にて前記遊技盤を貫通するようにして設けたことを特徴とする請求項５に記載の遊技機。
【請求項７】
前記遊技盤の盤面側における前記遊技領域の外方には所定の情報が記載された証紙を備え、前記遊技機前面部における前記証紙と対峙する位置には当該証紙に記載された情報を遊技機前方から視認可能とする透明板を設けた構成であって、
前記貫通孔部を、前記証紙の裏面側にて前記遊技盤を貫通するようにして設けたことを特徴とする請求項６に記載の遊技機。
【請求項８】
前記証紙を保持する非金属製の証紙保持部を有し、
当該証紙保持部により前記貫通孔部の手前側開放部を塞いだことを特徴とする請求項７に記載の遊技機。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
遊技媒体の預入数を保持する預入数保持手段と、
遊技媒体の賭け数を保持する賭け数保持手段と、
遊技者により投入された遊技媒体を検出する媒体検出手段と、
前記媒体検出手段による遊技媒体の検出に基づいて遊技媒体の受入を検知し、遊技媒体の前記受入に応じて前記賭け数及び前記預入数のいずれか一方を選択的に更新する媒体受入制御手段と、
遊技者による賭け操作を検出する預入媒体賭け手段と、
前記預入媒体賭け手段による賭け操作の検出に基づいて前記賭け数及び前記預入数を更新する預入媒体賭け制御手段と、
遊技媒体を放出する媒体放出手段と、
前記媒体放出手段により放出される遊技媒体を検出する放出媒体検出手段と、
前記遊技媒体の獲得条件の成立に応じて、前記預入数の更新及び前記媒体放出手段による前記遊技媒体の放出の少なくとも一方を制御する媒体獲得制御手段と、
前記遊技者による精算操作を検出する精算操作手段と、
前記精算操作手段による精算操作の検出に応じて、少なくとも前記預入数を参照して排出予定数を決定し、前記媒体放出手段による遊技媒体の放出を前記排出予定数と前記放出媒体検出手段による遊技媒体の検出とに基づいて制御する精算制御手段と、
前記遊技媒体の精算を報知する精算報知手段と、
前記精算報知手段による前記精算の報知を制御する精算報知制御手段と、
を備える遊技機であって、
前記精算報知制御手段が、前記精算操作手段による前記精算操作の検出に応じて前記精算報知手段に、前記排出予定数が規定排出数未満である場合に標準精算報知態様よる精算報知を行わせ、かつ前記排出予定数が前記規定排出数以上である場合に前記標準精算報知態様よりも遊技者の感覚器を刺激する多量精算報知態様による精算報知を少なくとも行わせることを特徴とする遊技機。
【請求項２】
前記精算制御手段が、精算制御部と、前記排出制御部とを含み、
前記精算制御部が、前記精算操作手段に対する精算操作を検知し、前記精算操作の検知に応じて少なくとも前記預入数を参照して前記排出予定数を決定し、前記精算操作の検知に応じて遊技媒体の精算を開始し、かつ前記排出制御部による前記媒体放出手段からの遊技媒体の排出の終了の検知に基づいて遊技媒体の精算を終了し、
前記排出制御部が、前記排出予定数と前記放出媒体検出手段による遊技媒体の検出とに基づいて前記媒体放出手段を制御し、前記放出媒体検出手段による遊技媒体の検出に基づいて前記預入数を更新し、かつ前記排出予定数と前記放出媒体検出手段による遊技媒体の検出とに基づいて前記媒体放出手段からの遊技媒体の排出の終了を検知し、
前記精算報知制御手段が、前記標準精算報知態様及び前記多量精算報知態様にそれぞれ対応する互いに異なる標準精算報知情報及び多量精算報知情報を保持する精算報知情報保持部と、前記標準精算報知情報を参照して前記標準精算報知態様による精算報知を制御し、前記多量精算報知情報を参照して前記多量精算報知態様による精算報知を制御する精算報知制御部と、前記規定排出数を保持する規定排出数保持部と、前記排出予定数と前記規定排出数とを参照して前記標準精算報知態様による精算報知と前記多量精算報知態様による精算報知との選択を制御する報知態様制御部とを含む請求項１に記載の遊技機。
【請求項３】
前記精算報知制御手段が、前記排出予定数が前記規定排出数未満である場合には、前記標準精算報知態様による精算報知のみを行わせ、前記排出予定数が前記規定排出数以上である場合には、前記多量精算報知態様による精算報知のみを行わせる請求項１に記載の遊技機。
【請求項４】
前記精算報知制御手段が、前記排出予定数が前記規定排出数未満である場合には、前記標準精算報知態様による精算報知のみを行わせ、前記排出予定数が前記規定排出数以上である場合には、前記標準精算報知態様による精算報知と前記多量精算報知態様による精算報知との双方を行わせる請求項１に記載の遊技機。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
遊技媒体の預入数を保持する預入数保持手段と、
遊技媒体の賭け数を保持する賭け数保持手段と、
遊技者により投入された遊技媒体を検出する媒体検出手段と、
前記媒体検出手段による遊技媒体の検出に基づいて遊技媒体の受入を検知し、遊技媒体の前記受入に応じて前記賭け数及び前記預入数のいずれか一方を選択的に更新する媒体受入制御手段と、
遊技者による賭け操作を検出する預入媒体賭け手段と、
前記預入媒体賭け手段による賭け操作の検出に基づいて前記賭け数及び前記預入数を更新する預入媒体賭け制御手段と、
遊技媒体を放出する媒体放出手段と、
前記媒体放出手段により放出される遊技媒体を検出する放出媒体検出手段と、
前記遊技媒体の獲得条件の成立に応じて、前記預入数の更新及び前記媒体放出手段による前記遊技媒体の放出の少なくとも一方を制御する媒体獲得制御手段と、
前記遊技者による精算操作を検出する精算操作手段と、
前記精算操作手段による精算操作の検出に応じて、少なくとも前記預入数を参照して排出予定数を決定し、前記媒体放出手段による遊技媒体の放出を前記排出予定数と前記放出媒体検出手段による遊技媒体の検出とに基づいて制御する精算制御手段と、
前記遊技媒体の精算を報知する精算報知手段と、
前記精算報知手段による前記精算の報知を制御する精算報知制御手段と、
を備える遊技機であって、
前記精算報知制御手段が、前記精算操作手段による前記精算操作の検出に基づいて標準精算報知態様による精算報知を前記精算報知手段に行わせ、かつ、規定排出数と前記放出媒体検出手段による遊技媒体の検出とに基づいて選択的に、前記標準精算報知態様による精算報知に引き続き前記標準精算報知態様よりも前記遊技者の感覚器を刺激する多量精算報知態様による精算報知を前記精算報知手段に行わせることを特徴とする遊技機。
【請求項２】
前記排出予定数が前記規定排出数未満である場合に、前記精算報知手段は、前記標準精算報知態様による精算報知を行わせ、
前記排出予定数が前記規定排出数以上である場合には、前記精算報知手段は、前記標準精算報知態様による精算報知及び前記多量精算報知態様による精算報知の双方を行わせる請求項１に記載の遊技機。
【請求項３】
前記精算制御手段が、精算制御部と、前記排出制御部とを含み、
前記精算制御部が、前記精算操作手段に対する精算操作を検知し、前記精算操作の検知に応じて少なくとも前記預入数を参照して前記排出予定数を決定し、前記精算操作の検知に応じて遊技媒体の精算を開始し、かつ前記排出制御部による前記媒体放出手段からの遊技媒体の排出の終了の検知に基づいて遊技媒体の精算を終了し、
前記排出制御部が、前記排出予定数と前記放出媒体検出手段による遊技媒体の検出とに基づいて前記媒体放出手段を制御し、前記放出媒体検出手段による遊技媒体の検出に基づいて前記預入数を更新し、かつ前記排出予定数と前記放出媒体検出手段による遊技媒体の検出とに基づいて前記媒体放出手段からの遊技媒体の排出の終了を検知し、
前記精算報知制御手段が、前記標準精算報知態様及び前記多量精算報知態様にそれぞれ対応する互いに異なる標準精算報知情報及び多量精算報知情報を保持する精算報知情報保持部と、前記標準精算報知情報を参照して前記標準精算報知態様による精算報知を制御し、前記多量精算報知情報を参照して前記多量精算報知態様による精算報知を制御する精算報知制御部と、前記放出媒体検出手段による遊技媒体の検出に基づいて前記媒体放出手段から排出された遊技媒体の排出数を計測する排出数計測部と、前記規定排出数を保持する規定排出数保持部と、前記排出数と前記規定排出数とを参照して前記標準精算報知態様による精算報知から前記多量精算報知態様による精算報知への切換を制御する報知態様制御部とを含む請求項１に記載の遊技機。
【請求項４】
前記精算報知制御手段が、更に、規定時間に対応する情報を保持する規定時間保持部と、少なくとも前記多量精算報知態様による精算報知の時間に対応する情報を計測する時間計測部とを含み、
前記報知制御部が、前記規定時間に対応する情報と前記時間計測部における測定時間に対応する情報とを参照して、前記精算制御部による遊技媒体の精算の終了後に前記多量精算報知態様による精算報知を終了させる請求項３に記載の遊技機。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
固有の識別情報を格納した記憶部とこの識別情報を含む電波を発信するアンテナ部とを備えた電子タグを、遊技機内部又は背面部に設置された制御装置に備えるとともに、
遊技機前方から読取装置により前記識別情報を読取可能とすべく、前記電子タグから発信される電波の導波路を構成する導波管を備え、
当該導波管内は誘電体により塞がれていることを特徴とする遊技機。
【請求項２】
遊技機前面部と前記制御装置との間には、遊技が実行される遊技装置ユニットを備え、
前記導波管を、前記遊技装置ユニットを貫通するようにして、又は前記遊技装置ユニットを避けるようにして設置したことを特徴とする請求項１に記載の遊技機。
【請求項３】
前記電子タグからの電波を前記導波管に向けて反射させる電波反射板を設けたことを特徴とする請求項２に記載の遊技機。
【請求項４】
前記遊技装置ユニットは盤面に多数の釘が配設されて遊技領域が形成された遊技盤であり、
当該遊技盤を貫通させて前記導波管を設置したことを特徴とする請求項２又は３に記載の遊技機。
【請求項５】
前記遊技盤には、当該遊技盤を前後方向に貫通するようにして設けられた入球装置を備え、当該入球装置に遊技球が入球した場合に遊技者に特典が付与される構成であって、
前記入球装置の遊技球通路を構成するようにして前記導波管を設置し、
さらに、当該導波管を前記遊技盤の背面側から突出させて設け、
当該導波管には、前記遊技盤の背面側において遊技球を導波管外部に排出する孔部を形成するとともに、当該導波管内における前記孔部よりも奥側が前記誘電体により塞がれていることを特徴とする請求項４に記載の遊技機。
【請求項６】
前記遊技盤は、前記遊技領域を流下する遊技球が入球可能な複数の入球部と、いずれの入球部にも入球しなかった遊技球を前記遊技領域から排出させるアウト口とを備え、
当該アウト口を構成するようにして前記導波管を設置し、
さらに、当該導波管を前記遊技盤の背面側から突出させて設け、
当該導波管には、前記遊技盤の背面側において遊技球を導波管外部に排出する孔部を形成するとともに、当該導波管内における前記孔部よりも奥側が前記誘電体により塞がれていることを特徴とする請求項４に記載の遊技機。
【請求項７】
前記電子タグとして、第１電子タグと、当該第１電子タグに対して離間させて設けられる第２電子タグとを備え、
前記導波管をその延びる方向の途中位置にて分岐させることにより、その分岐位置から前記第１電子タグ側に延び当該第１電子タグから発信される電波を遊技機前面側に導く第１導波部と、前記分岐位置から前記第２電子タグ側に延び当該第２電子タグから発信される電波を遊技機前面側に導く第２導波部とを設け、
前記第１導波部及び前記第２導波部の両方に対して前記導波管の内部が電波の伝播方向に貫通しないように前記誘電体を設けたことを特徴とする請求項１乃至６のいずれか１に記載の遊技機。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
遊技媒体の預入数を保持する預入数保持手段と、
前記遊技媒体の賭け数を保持する賭け数保持手段と、
遊技者により投入された遊技媒体を検出する媒体検出手段と、
前記媒体検出手段による遊技媒体の検出に基づいて遊技媒体の受入を検知し、遊技媒体の前記受入に応じて前記賭け数及び前記預入数のいずれか一方を選択的に更新する媒体受入制御手段と、
遊技者による賭け操作を検出する預入媒体賭け手段と、
前記預入媒体賭け手段による賭け操作の検出に基づいて前記賭け数及び前記預入数を更新する預入媒体賭け制御手段と、
特別遊技状態を含む複数種類の遊技状態から選択された遊技状態に応じて遊技進行を制御する遊技制御手段と、
遊技媒体を放出する媒体放出手段と、
前記媒体放出手段により放出される遊技媒体を検出する放出媒体検出手段と、
前記遊技制御手段における遊技結果に基づく前記遊技媒体の獲得条件の成立に応じて、前記預入数の更新及び前記媒体放出手段による前記遊技媒体の放出の少なくとも一方を制御する媒体獲得制御手段と、
前記遊技者による精算操作を検出する精算操作手段と、
前記精算操作手段による精算操作の検出に応じて、少なくとも前記預入数を参照して排出予定数を決定し、前記媒体放出手段による遊技媒体の放出を前記排出予定数と前記放出媒体検出手段による遊技媒体の検出とに基づいて制御する精算制御手段と、
前記遊技媒体の精算を報知する精算報知手段と、
前記精算報知手段による前記精算の報知を制御する精算報知制御手段と、
を備える遊技機であって、
前記遊技制御手段による遊技進行に応じた遊技数及び規定遊技数に基づいて、前記特別遊技状態の終了からの前記規定遊技数の遊技の終了までの切換無効期間を識別する切換無効期間制御手段を備え、
前記精算報知制御手段が、前記切換無効期間以外における前記精算操作手段による前記精算操作の検出に応じて前記精算報知手段に、実質的に前記排出予定数が規定排出数未満である場合に標準精算報知態様よる精算報知を行わせ、かつ実質的に前記排出予定数が規定排出数以上である場合に前記標準精算報知態様よりも遊技者の感覚器を刺激する多量精算報知態様による精算報知を少なくとも行わせ、前記切換無効期間における前記精算操作情報の生成に応じて前記精算報知手段に、前記標準精算報知態様による精算報知を行わせる精算報知制御手段と、
を備えることを特徴とする遊技機。
【請求項２】
前記精算報知制御手段が、更に、規定精算回数を保持し、前記切換無効期間における前記精算操作手段に対する精算操作の検知に基づいて精算回数を計測し、
前記精算報知制御手段が、前記切換無効期間における前記精算回数の前記規定精算回数への到達後の前記精算操作手段に対する精算操作の検知に応じて、前記精算報知手段に、実質的に前記排出予定数が前記規定排出数未満である場合には前記標準精算報知態様による精算報知を行わせ、実質的に前記排出予定数が前記規定排出数以上である場合には前記多量精算報知態様による精算報知を少なくとも行わせる請求項１に記載の遊技機。
【請求項３】
前記精算報知制御手段が、更に、規定多量報知回数を保持し、前記切換無効期間における前記多量精算報知態様による精算報知の報知回数を計測し、
前記精算報知制御手段が、前記切換無効期間における前記報知回数の前記規定多量報知回数への到達後の前記精算操作手段に対する精算操作の検知に応じて、前記精算報知手段に、実質的に前記排出予定数が前記規定排出数未満である場合には前記標準精算報知態様による精算報知を行わせ、実質的に前記排出予定数が前記規定排出数以上である場合には前記多量精算報知態様による精算報知を少なくとも行わせる請求項１に記載の遊技機。
【請求項４】
前記切換無効期間制御手段が、更に、規定精算回数を保持し、前記切換無効期間における前記精算操作手段に対する精算操作の検知に基づいて精算回数を計測し、
前記切換無効期間制御手段が、前記精算回数の前記規定精算回数への到達の検知に応じて前記切換無効期間を終了させる請求項１に記載の遊技機。
【請求項５】
前記切換無効期間制御手段が、規定多量報知回数を保持し、前記切換無効期間における前記多量精算報知態様による精算報知の報知回数を計測し、
前記切換無効期間制御手段が、前記報知回数の前記規定多量報知回数への到達の検知に応じて前記切換無効期間を終了させる請求項１に記載の遊技機。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
遊技媒体の預入数を保持する預入数保持手段と、
遊技媒体の賭け数を保持する賭け数保持手段と、
遊技者により投入された遊技媒体を検出する媒体検出手段と、
前記媒体検出手段による遊技媒体の検出に基づいて遊技媒体の受入を検知し、遊技媒体の前記受入に応じて前記賭け数及び前記預入数のいずれか一方を選択的に更新する媒体受入制御手段と、
遊技者による賭け操作を検出する預入媒体賭け手段と、
前記預入媒体賭け手段による賭け操作の検出に基づいて前記賭け数及び前記預入数を更新する預入媒体賭け制御手段と、
遊技進行を制御する遊技制御手段と、
遊技媒体を放出する媒体放出手段と、
前記媒体放出手段により放出される遊技媒体を検出する放出媒体検出手段と、
前記遊技制御手段における遊技結果に基づく前記遊技媒体の獲得条件の成立に応じて、前記預入数の更新及び前記媒体放出手段による前記遊技媒体の放出の少なくとも一方を制御する媒体獲得制御手段と、
前記遊技者による精算操作を検出する精算操作手段と、
前記精算操作手段による精算操作の検出に応じて、少なくとも前記預入数を参照して排出予定数を決定し、前記媒体放出手段による遊技媒体の放出を前記排出予定数と前記放出媒体検出手段による遊技媒体の検出とに基づいて制御する精算制御手段と、
前記遊技媒体の精算を報知する精算報知手段と、
前記精算報知手段による前記精算の報知を制御する精算報知制御手段と、
精算エラーを報知する精算エラー報知手段と、
前記精算エラー報知手段による前記精算エラーの報知を制御する精算エラー報知制御手段と、
前記管理者によるエラー解除操作を検出する精算エラー解除操作手段と、
前記精算エラー解除操作手段によるエラー解除操作に応じて前記精算エラーの報知を停止させる精算エラー報知解除手段と、
を備える遊技機であって、
前記遊技制御手段による遊技進行に応じた遊技数及び規定遊技数に基づいて、前記精算操作手段による前記精算操作の検出から前記規定遊技数の遊技の終了までの精算エラー期間を識別する精算エラー期間制御手段を備え、
前記精算報知制御手段が、前記精算エラー期間以外における前記精算操作手段による前記精算操作の検出に応じて前記精算報知手段に、実質的に前記排出予定数が規定排出数未満である場合に標準精算報知態様よる精算報知を行わせ、かつ実質的に前記排出予定数が規定排出数以上である場合に前記標準精算報知態様よりも遊技者の感覚器を刺激する多量精算報知態様による精算報知を少なくとも行わせ、
前記精算エラー報知制御手段が、前記精算エラー期間における前記精算操作手段による前記精算操作の検出に応じて前記精算エラー報知手段に、前記精算エラーを報知させることを特徴とする遊技機。
【請求項２】
前記精算エラー期間制御手段が、前記精算操作手段に対する前記精算操作の検知からの切換遊技数を計測し、前記規定遊技数を保持し、前記精算操作手段に対する前記精算操作の検知に応じて前記精算エラー期間を開始して前記切換遊技数が前記規定遊技数に到達したことの検知に応じて前記精算エラー期間を終了させる請求項１に記載の遊技機。
【請求項３】
前記精算エラー期間における前記精算操作手段による前記精算操作の検出に応じて前記遊技進行を停止させる精算エラー制御手段と、前記精算エラー解除操作手段による精算エラー解除操作の検出に応じて前記精算エラーを解除して前記遊技進行を再開させる精算エラー解除手段とを更に備える請求項１又は２に記載の遊技機。
【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
動画像のデータを保持する外部装置から送信された、当該動画像を構成するフレーム群のうち第１のフレーム群を受信し、メモリに格納する格納手段と、
再生対象の動画像に対する再生指示を検知すると、前記メモリから当該再生対象の動画像の第１のフレーム群を読み出し、読み出した当該第１のフレーム群を再生すると共に、前記再生対象の動画像を構成するフレーム群のうち前記第１のフレーム群以降に再生される第２のフレーム群の送信要求を前記外部装置に対して送信する第１の再生手段と、
前記第２のフレーム群の送信要求に応じて前記外部装置から送信された、前記第２のフレーム群を受信する受信手段と、
前記第１の再生手段による前記第１のフレーム群の再生後、前記受信手段が受信した前記第２のフレーム群を再生する第２の再生手段と
を備えることを特徴とする再生装置。
【請求項２】
前記第１のフレーム群は、前記動画像を構成するフレーム群の先頭フレームから、前記再生装置と前記外部装置とのデータ通信速度、前記再生装置の起動時間、に応じて決まるフレーム数分のフレームであることを特徴とする請求項１に記載の再生装置。
【請求項３】
前記第２の再生手段による再生を中断する指示を検知した場合には、前記第２の再生手段による再生を中断させる中断手段と、
前記中断手段による中断後、再生を再開させる指示を検知した場合には、前記第２の再生手段による再生を再開させる第３の再生手段とを備え、
前記中断手段は、再生が中断された時点で再生されているフレームを含むフレーム群を第３のフレーム群とし、当該第３のフレーム群以降に再生される第４のフレーム群のデータを削除し、
前記第３の再生手段は、再生を再開させる指示を検知した場合には、前記第３のフレーム群を再生すると共に、前記第４のフレーム群の送信要求を前記外部装置に対して送信し、当該送信要求に応じて前記外部装置から送信された前記第４のフレーム群を受信し、前記第３のフレーム群の再生後、前記第４のフレーム群を再生する
ことを特徴とする請求項１又は２に記載の再生装置。
【請求項４】
請求項１乃至３の何れか１項に記載の再生装置とのデータ通信が可能なデータ格納装置であって、
動画像のデータを外部から取得する取得手段と、
前記取得手段が取得した動画像のデータをメモリに格納すると共に、当該動画像を構成するフレーム群のうち第１のフレーム群を前記再生装置に対して送信する送信手段と、
前記第１の再生手段が送信した送信要求に応じて、当該動画像を構成するフレーム群のうち当該第１のフレーム群以降に再生される第２のフレーム群を前記再生装置に対して返信する手段と
を備えることを特徴とするデータ格納装置。
【請求項５】
更に、
前記第１のフレーム群のフレーム数を決定する決定手段を備え、
前記送信手段は、前記決定手段が決定したフレーム数分の前記第１のフレーム群を前記再生装置に送信することを特徴とする請求項４に記載のデータ格納装置。
【請求項６】
前記送信手段は、前記取得手段が取得した動画像のデータをメモリに格納すると共に、当該動画像のジャンルを示す情報が、予め設定されたジャンルを示す情報と一致した場合に、当該動画像を構成するフレーム群のうち第１のフレーム群を前記再生装置に対して送信することを特徴とする請求項４又は５に記載のデータ格納装置。
【請求項７】
更に、
データ格納装置が複数台の再生装置とデータ通信が可能である場合、ユーザに固有のユーザ情報と、当該ユーザが使用する１以上の再生装置に固有の装置情報とを関連付けて登録する登録手段を備え、
注目再生装置に対して行った処理の続きは、当該注目再生装置の装置情報と関連付けて登録されているユーザ情報に関連付けられている何れの再生装置に対しても実行可能であることを特徴とする請求項４又は５に記載のデータ格納装置。
【請求項８】
格納手段が、動画像のデータを保持する外部装置から送信された、当該動画像を構成するフレーム群のうち第１のフレーム群を受信し、メモリに格納する格納工程と、
第１の再生手段が、再生対象の動画像に対する再生指示を検知すると、前記メモリから当該再生対象の動画像の第１のフレーム群を読み出し、読み出した当該第１のフレーム群を再生すると共に、前記再生対象の動画像を構成するフレーム群のうち前記第１のフレーム群以降に再生される第２のフレーム群の送信要求を前記外部装置に対して送信する第１の再生工程と、
受信手段が、前記第２のフレーム群の送信要求に応じて前記外部装置から送信された、前記第２のフレーム群を受信する受信工程と、
第２の再生手段が、前記第１の再生工程での前記第１のフレーム群の再生後、前記受信工程で受信した前記第２のフレーム群を再生する第２の再生工程と
を備えることを特徴とする再生装置の制御方法。
【請求項９】
請求項１乃至３の何れか１項に記載の再生装置とのデータ通信が可能なデータ格納装置の制御方法であって、
取得手段が、動画像のデータを外部から取得する取得工程と、
送信手段が、前記取得工程で取得した動画像のデータをメモリに格納すると共に、当該動画像を構成するフレーム群のうち第１のフレーム群を前記再生装置に対して送信する送信工程と、
返信手段が、前記第１の再生工程で送信した送信要求に応じて、当該動画像を構成するフレーム群のうち当該第１のフレーム群以降に再生される第２のフレーム群を前記再生装置に対して返信する工程と
を備えることを特徴とするデータ格納装置の制御方法。
【請求項１０】
コンピュータに請求項８又は９に記載の制御方法を実行させるためのプログラム。
【請求項１１】
請求項１０に記載のプログラムを格納したことを特徴とする、コンピュータ読み取り可能な記憶媒体。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
モックアップの外観ケース内に設けられ、前記外観ケースの表面に配設される子部品が取り付けられるシャーシであって、
整列して設けられた複数の穴と、
前穴に前記子部品を固定する子部品固定部と、
を有することを特徴とするシャーシ。
【請求項２】
前記穴は、前記外観ケースに設けられ、前記子部品に設けられた穴を挿通する凸部が嵌合する穴であることを特徴とする請求項１に記載のシャーシ。
【請求項３】
モックアップの外観ケース内に設けられ、前記外観ケースの表面に配設される子部品が取り付けられるシャーシであって、
前記シャーシに設けられ、前記子部品に設けられた穴に嵌合する凸部と、
前凸部に前記子部品の固定する子部品固定部と、
を有することを特徴とするシャーシ。
【請求項４】
前記凸部は、前記子部品が当接するリブであることを特徴とする請求項３記載のシャーシ。
【請求項５】
前記子部品固定部は、
前記凸部の径が、前記電子部品に設けられた穴の径より大きく設定され、
前記凸部が前記穴に圧入されることでなされることを特徴とする請求項３記載のシャーシ。
【手続補正２】
【補正対象書類名】明細書
【補正対象項目名】０００７
【補正方法】変更
【補正の内容】
【０００７】
上記課題を解決する請求項１に係る発明は、モックアップの外観ケース内に設けられ、前記外観ケースの表面に配設される子部品が取り付けられるシャーシであって、整列して設けられた複数の穴と、前穴に前記子部品を固定する子部品固定部と、を有することを特徴とするシャーシである。
【手続補正３】
【補正対象書類名】明細書
【補正対象項目名】０００８
【補正方法】変更
【補正の内容】
【０００８】
請求項２に係る発明は、前記穴は、前記外観ケースに設けられ、前記子部品に設けられた穴を挿通する凸部が嵌合する穴であることを特徴とする請求項１に記載のシャーシである。
【手続補正４】
【補正対象書類名】明細書
【補正対象項目名】０００９
【補正方法】変更
【補正の内容】
【０００９】
請求項３に係る発明は、モックアップの外観ケース内に設けられ、前記外観ケースの表面に配設される子部品が取り付けられるシャーシであって、前記シャーシに設けられ、前記子部品に設けられた穴に嵌合する凸部と、前凸部に前記子部品の固定する子部品固定部と、を有することを特徴とするシャーシである。
【手続補正５】
【補正対象書類名】明細書
【補正対象項目名】００１０
【補正方法】変更
【補正の内容】
【００１０】
請求項４に係る発明は、前記凸部は、前記子部品が当接するリブであることを特徴とする請求項３記載のシャーシである。
【手続補正６】
【補正対象書類名】明細書
【補正対象項目名】００１１
【補正方法】変更
【補正の内容】
【００１１】
請求項５に係る発明は、前記子部品固定部は、前記凸部の径が、前記電子部品に設けられた穴の径より大きく設定され、前記凸部が前記穴に圧入されることでなされることを特徴とする請求項３記載のシャーシである。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
遊技者による操作に応じてベット操作情報を生成するベット操作手段と、
前記ベット操作情報に対応する所定数の遊技媒体を内部に投入する投入手段と、
前記投入手段を制御する投入制御手段と、
前記所定数の遊技媒体の各々の通過を検出して一対の通過検出情報を生成する一対の通過検出手段と、
所定の検出順序に対応する情報を保持する通過順序情報保持手段と、
前記所定数の遊技媒体の各々に対して、前記一対の通過検出情報の検出順序が前記所定の検出順序と同一である場合に正常な通過と判定する通過判定手段と、
前記通過判定手段による前記正常な通過の検知に応じて通過数を計測する通過数計測手段と、
前記通過判定手段による前記正常な通過と異なる異常な通過の検知に応じてエラー制御を行うエラー制御手段と、
を含む遊技機であって、
前記所定数の遊技媒体の各々の通過を検出して補助通過検出情報を生成する補助通過検出手段と、
所定の標準補助通過時間に対応する情報を保持する標準補助通過時間保持手段と、
前記所定の標準補助通過時間より長い所定の拡張補助通過時間に対応する情報を保持する拡張補助通過時間保持手段と、
前記所定数の遊技媒体の各々に対して、前記一対の通過検出手段による遊技媒体の検出に基づいて補助通過時間を計測する補助通過時間計測手段と、
前記所定数の遊技媒体のうち一部の遊技媒体に対して前記補助通過時間が前記所定の標準補助通過時間未満であり、前記所定数の遊技媒体のうち他の遊技媒体に対して前記補助通過時間が前記所定の拡張補助通過時間未満である場合に、正常な通過と判定する補助通過判定手段と、
を更に含むことを特徴とする遊技機。
【請求項２】
前記補助通過判定手段による前記正常な通過の検知に応じて補助通過数を計測する補助通過数計測手段と、
前記通過数と前記補助通過数とを比較して、前記通過数と前記補助通過数とが同一である場合に、正常なベットと判定するベット判定手段と、
を更に含み、
前記補助通過判定手段が、前記所定数の遊技媒体のうち最初に投入される遊技媒体を含む所定の少なくとも１つの先順遊技媒体の各々に対して前記補助通過時間が前記所定の標準補助通過時間未満であり、前記所定数の遊技媒体のうち前記所定の少なくとも１つの先順遊技媒体の各々と異なり、最後に投入される最終遊技媒体を含む所定の少なくとも１つの後順遊技媒体の各々に対して前記補助通過時間が前記所定の拡張補助通過時間未満である場合に、前記正常な通過と判定し、
エラー制御手段が、前記ベット判定手段による前記正常なベットと異なる異常なベットの検知に応じてエラー制御を更に行う請求項１に記載の遊技機。
【請求項３】
前記補助通過判定手段が、前記所定の少なくとも１つの後順遊技媒体の各々に対しては前記所定の拡張補助通過時間と前記補助通過時間とに基づき、前記所定数の遊技媒体のうち前記所定の少なくとも１つの後順遊技媒体の各々と異なる遊技媒体に対しては前記所定の標準補助通過時間と前記補助通過時間とに基づいて正常な通過であるか否かを判定する請求項２に記載の遊技機。
【請求項４】
前記ベット操作情報の検知と前記最終遊技媒体に対する前記補助通過時間の前記所定の拡張補助通過時間への到達の検知とに応じて補助通過容認期間を制御する補助通過容認期間制御手段を更に含み、
前記エラー制御手段が、前記補助通過容認期間外における前記補助通過検出情報の検知に応じてエラー制御を更に行う請求項２又は３に記載の遊技機。
【請求項５】
遊技者による操作により遊技開始情報を生成する遊技開始操作手段を更に含み、
前記ベット判定手段が、前記遊技開始情報に応じて、前記通過数と前記補助通過数とを比較する請求項２、３又は４に記載の遊技機。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
遊技者による操作に応じてベット操作情報を生成するベット操作手段と、
前記ベット操作情報に対応付けられた所定の投入数を保持する投入数保持手段と、
遊技媒体を内部に投入する投入手段と、
前記投入手段により投入される遊技媒体を検出して一対の通過検出情報を生成する一対の通過検出手段と、
前記ベット操作情報の検知に応じて前記投入手段による遊技媒体の投入を開始させ、前記一対の通過検出手段による前記所定の投入数の遊技媒体の通過の検知に応じて遊技媒体の投入を終了させる投入制御手段と、
所定の検出順序に対応する情報を保持する通過順序情報保持手段と、
前記一対の通過検出情報に基づく検出順序が前記所定の検出順序と同一である場合に正常な通過と判定する通過判定手段と、
前記通過判定手段による前記正常な通過の検知に応じて通過数を計測する通過数計測手段と、
前記通過判定手段による前記正常な通過と異なる異常な通過の検知に応じてエラー制御を行うエラー制御手段と、
を含む遊技機であって、
前記投入手段により投入される遊技媒体を検出して補助通過検出情報を生成する補助通過検出手段と、
所定の補助通過時間に対応する情報を保持する補助通過時間保持手段と、
前記一対の通過検出情報に基づいて補助通過時間を計測する補助通過時間計測手段と、
前記補助通過検出情報の検知に応じて、前記補助通過時間が前記所定の補助通過時間未満である場合に前記正常な通過と判定する補助通過判定手段と、
を更に含むことを特徴とする遊技機。
【請求項２】
前記補助通過判定手段による前記正常な通過の検知に応じて補助通過数を計測する補助通過数計測手段と、
前記通過数と前記補助通過数とを比較して、前記通過数が前記所定の投入数以上であり、かつ前記補助通過数が前記通過数以上である場合に、正常なベットと判定するベット判定手段とを更に含み、
前記エラー制御手段が、前記ベット判定手段による前記正常なベットと異なる異常なベットの検知に応じてエラー制御を更に行う請求項１に記載の遊技機。
【請求項３】
前記ベット操作情報の検知と前記投入数の遊技媒体のうち最後に投入される最終遊技媒体に対する前記補助通過時間の前記所定の補助通過時間への到達の検知とに応じて補助通過容認期間を終了する補助通過容認期間制御手段を更に含み、
前記エラー制御手段が、前記補助通過容認期間外における前記一対の通過検出情報及び前記補助通過検出情報のいずれかの検知に応じて、エラー制御を更に行う請求項３に記載の遊技機。